(57)【要約】端末装置は、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードする受信部と、サブフレームｎ−ｋにおける前記ＰＤＳＣＨの検出に基づいて、サブフレームｎでＨＡＲＱ−ＡＣＫ送信を実行する送信部と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。    ・第１の条件：前記ｋの値    ・第２の条件：前記ＤＣＩフォーマットを含む物理下りリンク制御チャネルがマッピングされるサーチスペースがＣＳＳおよびＵＳＳの何れであるか。
2018030494.tif 000002
【特許請求の範囲】
【請求項１】
ＤＣＩフォーマットを含むＰＤＣＣＨまたはＥＰＤＣＣＨ、および、第１のＲＲＣパラメータを受信し、
前記ＰＤＣＣＨまたは前記ＥＰＤＣＣＨの検出に基づいてＰＤＳＣＨをデコードする受信部と、
サブフレームｎ−ｋにおける前記ＰＤＳＣＨの検出に基づいて、サブフレームｎでＨＡＲＱ−ＡＣＫ送信を実行する送信部と、を備え、
前記ＰＵＣＣＨリソースが少なくとも前記第１のＲＲＣパラメータにより与えられるか否かは、以下の第１の条件から第２の条件の一部、または、全部に少なくとも基づいて、決定される
・第１の条件：前記ｋの値
・第２の条件：前記ＤＣＩフォーマットを含む物理下りリンク制御チャネルがマッピングされるサーチスペースがＣＳＳおよびＵＳＳの何れであるか
端末装置。
【請求項２】
前記ｋが４である場合、ＰＵＣＣＨリソースは第１のＲＲＣパラメータを用いずに与えられ、
前記ｋが３である場合、ＰＵＣＣＨリソースは少なくとも第１のＲＲＣパラメータにより与えられる
請求項１に記載の端末装置。
【請求項３】
前記ＰＤＣＣＨまたは前記ＥＰＤＣＣＨがマッピングされるサーチスペースがＣＳＳである場合、ＰＵＣＣＨリソースは第１のＲＲＣパラメータを用いずに与えられ、
前記ＰＤＣＣＨまたは前記ＥＰＤＣＣＨがマッピングされるサーチスペースがＵＳＳである場合、ＰＵＣＣＨリソースは少なくとも第１のＲＲＣパラメータにより与えられる
請求項１に記載の端末装置。
【請求項４】
端末装置と通信する基地局装置であって、
第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信する送信部と、
サブフレームｎ−ｋにおける前記ＰＤＳＣＨの送信に基づいて、サブフレームｎでＨＡＲＱ−ＡＣＫ受信を実行する受信部と、を備え、
前記ＰＵＣＣＨリソースが少なくとも前記第１のＲＲＣパラメータにより与えられるか否かは、以下の第１の条件から第２の条件の一部、または、全部に少なくとも基づいて、決定される
・第１の条件：前記ｋの値
・第２の条件：前記ＤＣＩフォーマットを含む物理下りリンク制御チャネルがマッピングされるサーチスペースがＣＳＳおよびＵＳＳの何れであるか
基地局装置。
【請求項５】
前記ｋが４である場合、ＰＵＣＣＨリソースは第１のＲＲＣパラメータを用いずに与えられ、
前記ｋが３である場合、ＰＵＣＣＨリソースは少なくとも第１のＲＲＣパラメータにより与えられる
請求項４に記載の基地局装置。
【請求項６】
前記ＰＤＣＣＨまたは前記ＥＰＤＣＣＨがマッピングされるサーチスペースがＣＳＳである場合、ＰＵＣＣＨリソースは第１のＲＲＣパラメータを用いずに与えられ、
前記ＰＤＣＣＨまたは前記ＥＰＤＣＣＨがマッピングされるサーチスペースがＵＳＳである場合、ＰＵＣＣＨリソースは少なくとも第１のＲＲＣパラメータにより与えられる
請求項４に記載の基地局装置。
【請求項７】
端末装置に用いられる通信方法であって、
ＤＣＩフォーマットを含むＰＤＣＣＨまたはＥＰＤＣＣＨ、および、第１のＲＲＣパラメータを受信し、
前記ＰＤＣＣＨまたは前記ＥＰＤＣＣＨの検出に基づいてＰＤＳＣＨをデコードし、
サブフレームｎ−ｋにおける前記ＰＤＳＣＨの検出に基づいて、サブフレームｎでＨＡＲＱ−ＡＣＫ送信を実行し、
前記ＰＵＣＣＨリソースが少なくとも前記第１のＲＲＣパラメータにより与えられるか否かは、以下の第１の条件から第２の条件の一部、または、全部に少なくとも基づいて、決定される
・第１の条件：前記ｋの値
・第２の条件：前記ＤＣＩフォーマットを含む物理下りリンク制御チャネルがマッピングされるサーチスペースがＣＳＳおよびＵＳＳの何れであるか
通信方法。
【請求項８】
端末装置と通信する基地局装置に用いられる通信方法であって、
第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信し、
サブフレームｎ−ｋにおける前記ＰＤＳＣＨの送信に基づいて、サブフレームｎでＨＡＲＱ−ＡＣＫ受信を実行し、
前記ＰＵＣＣＨリソースが少なくとも前記第１のＲＲＣパラメータにより与えられるか否かは、以下の第１の条件から第２の条件の一部、または、全部に少なくとも基づいて、決定される
・第１の条件：前記ｋの値
・第２の条件：前記ＤＣＩフォーマットを含む物理下りリンク制御チャネルがマッピングされるサーチスペースがＣＳＳおよびＵＳＳの何れであるか
通信方法。
【発明の詳細な説明】
【技術分野】
【０００１】
本発明は、端末装置、基地局装置、通信方法、および、集積回路に関する。
本願は、２０１６年８月９日に日本に出願された特願２０１６−１５６２４４号について優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project : 3GPP）において検討されている（非特許文献１）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
３ＧＰＰにおいて、待ち時間の縮小の強化（latency reduction enhancements）が検討されている。例えば、待ち時間の縮小の解決策として、セミパーシステントスケジューリング（Semi-Persistent Scheduling : SPS）や上りリンクグラント受信（UL Grant reception）、設定されたセミパーシステントスケジューリングの活性化および非活性化（Configured SPS activation and deactivation）が検討されている（非特許文献１）。また、レガシー（１ms）送信時間間隔（Transmission Time Interval, TTI）に対して、処理時間を短縮する検討が始まっている。（非特許文献２）
【先行技術文献】
【非特許文献】
【０００４】
【非特許文献１】"3GPP TR 36.881 V0.5.2 (2016-02) Evolved Universal Terrestrial Radio Access (E-UTRA); Study on latency reduction techniques for LTE (Release13)", R2-161963, Ericsson.
【非特許文献２】"Work Item on shortened TTI and processing time for LTE", RP-161299, Ericsson, 3GPP TSG RAN Meeting#72, Busan, Korea, June 13-16, 2016
【発明の概要】
【発明が解決しようとする課題】
【０００５】
しかしながら、上述のような無線通信システムにおいて、ＴＴＩにおける処理時間を短縮する端末装置に割り当てられるＰＵＣＣＨリソースと処理時間を短縮しない端末装置に割り当てられるＰＵＣＣＨリソースは、同じな上りリンクサブフレームで、重複になるという問題がある。端末装置と端末装置との間でＰＵＣＣＨリソースの衝突が発生してしまう。【０００６】
本発明の一態様は、ＰＤＳＣＨで送信されるトランスポートブロックに対するＨＡＲＱ−ＡＣＫを、ＰＵＣＣＨリソースを用いて効率的に送信および／または受信することができる端末装置、基地局装置、通信方法、および、集積回路を提供する。
【課題を解決するための手段】
【０００７】
（１）上記の目的を達成するために、本発明の態様は、以下のような手段を講じた。すなわち、本発明の第１態様は端末装置であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードする受信部と、サブフレームｎ−ｋにおける前記ＰＤＳＣＨの検出に基づいて、サブフレームｎでＨＡＲＱ−ＡＣＫ送信を実行する送信部と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。【０００８】
（２）本発明の第２態様は、端末装置と通信する基地局装置であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信する送信部と、サブフレームｎ−ｋにおける前記ＰＤＳＣＨの送信に基づいて、サブフレームｎでＨＡＲＱ−ＡＣＫ受信を実行する受信部と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。【０００９】
（３）本発明の第３態様は、端末装置に用いられる通信方法であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードし、サブフレームｎ−ｋにおける前記ＰＤＳＣＨの検出に基づいて、サブフレームｎでＨＡＲＱ−ＡＣＫ送信を実行し、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。【００１０】
（４）本発明の第４態様は、端末装置と通信する基地局装置に用いられる通信方法であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信し、サブフレームｎ−ｋにおける前記ＰＤＳＣＨの送信に基づいて、サブフレームｎでＨＡＲＱ−ＡＣＫ受信を実行し、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。【００１１】
（５）本発明の第５態様は、端末装置に実装される集積回路であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードする受信回路と、サブフレームｎ−ｋにおける前記ＰＤＳＣＨの検出に基づいて、サブフレームｎでＨＡＲＱ−ＡＣＫ送信を実行する送信回路と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。【００１２】
（６）本発明の第６態様は、端末装置と通信する基地局装置に実装される集積回路であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信する送信回路と、サブフレームｎ−ｋにおける前記ＰＤＳＣＨの送信に基づいて、サブフレームｎでＨＡＲＱ−ＡＣＫ受信を実行する受信回路と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【発明の効果】
【００１３】
この発明の一態様によれば、端末装置と基地局装置のそれぞれは、ＰＤＳＣＨで送信されたトランスポートブロックに対するＨＡＲＱ−ＡＣＫを、ＰＵＣＣＨを用いて効率的に送信および／または受信することができる。
【図面の簡単な説明】
【００１４】
【図１】本実施形態における無線通信システムの概念を示す図である。
【図２】本実施形態の無線フレームの概略構成を示す図である。
【図３】本実施形態の上りリンクスロットの概略構成を示す図である
【図４】本実施形態の下りリンクサブフレームにおける物理チャネルおよび物理信号の配置の一例を示す図である。
【図５】本実施形態のＰＵＣＣＨが配置される物理リソースブロックを示す図である。
【図６】本実施形態におけるＨＡＲＱ−ＡＣＫの送信に用いられるＰＵＣＣＨリソースが決定される図である。
【図７Ａ】本実施形態における端末装置１間のＰＵＣＣＨリソースが重複した一例を示す図である。
【図７Ｂ】本実施形態における端末装置１間のＰＵＣＣＨリソースが重複した別の一例を示す図である。
【図８Ａ】本実施形態における△ｓｈｉｆｔ値にマッピングされるシフトフィールドの一例である。
【図８Ｂ】本実施形態における△ｓｈｉｆｔ値にマッピングされるシフトフィールドの別の一例である。
【図９】本実施形態の端末装置１の構成を示す概略ブロック図である。
【図１０】本実施形態の基地局装置３の構成を示す概略ブロック図である。
【発明を実施するための形態】
【００１５】
以下、本発明の実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１７】
図２は、本実施形態の無線フレームの概略構成を示す図である。図２において、横軸は時間軸である。
【００１８】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００１９】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access）シンボル番号／インデックスであり、ｋはサブキャリア番号／インデックスである。
【００２０】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００２１】
リソースグリッドは、アンテナポート毎に定義される。本実施形態では、１つのアンテナポートに対する説明を行う。複数のアンテナポートのそれぞれに対して、本実施形態が適用されてもよい。
【００２２】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。ノーマルＣＰ（normal Cyclic Prefix）に対して、NULsymbは７である。拡張ＣＰ（extended Cyclic Prefix）に対して、NULsymbは６である。即ち、ノーマルＣＰに対して、１サブフレームは１４ＳＣ−ＦＤＭＡシンボルで構成される。拡張ＣＰに対して、１サブフレームは１２ＳＣ−ＦＤＭＡシンボルで構成される。
【００２３】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００２４】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００２５】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて同じであるため、下りリンクのスロットの構成の説明は省略する。
【００２６】
ここで、下りリンクにおける送信、および／または、上りリンクにおける送信に対して、送信時間間隔（Transmission Time Interval : TTI）が定義されてもよい。すなわち、下りリンクにおける送信、および／または、上りリンクにおける送信が、１つの送信時間間隔（１つの送信時間間隔の長さ）で実行されてもよい。
【００２７】
例えば、下りリンクにおいて、ＴＴＩは１４ＯＦＤＭシンボル（１サブフレーム）から構成される。１４よりも少ないＯＦＤＭシンボルから構成される送信時間間隔をｓＴＴＩ（short Transmission Interval）とも称する。
【００２８】
また、上りリンクにおいて、ＴＴＩは１４ＳＣ−ＦＤＭＡシンボル（１サブフレーム）から構成される。１４よりも少ないＯＦＤＭシンボルから構成される送信時間間隔をｓＴＴＩとも称する。
【００２９】
本実施形態における物理チャネルおよび物理信号について説明する。
【００３０】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＲＡＣＨ（Physical Random Access Channel）
・ＰＵＣＣＨ（Physical Uplink Control Channel）
・ＰＵＳＣＨ（Physical Uplink Shared Channel）
【００３１】
ＰＲＡＣＨは、ランダムアクセスプリアンブルを送信するために用いられる。例えば、ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【００３２】
ＰＵＣＣＨは、上りリンク制御情報（Uplink Control Information : UCI）を送信するために用いられる。ここで、上りリンク制御情報には、下りリンクに対するチャネル状態情報（Channel State Information : CSI）が含まれてもよい。また、上りリンク制御情報には、ＵＬ−ＳＣＨのリソースを要求するために用いられるスケジューリング要求（Scheduling Request : SR）が含まれてもよい。また、上りリンク制御情報には、ＨＡＲＱ−ＡＣＫ（Hybrid Automatic Repeat request ACKnowledgement）が含まれてもよい。
【００３３】
ここで、ＨＡＲＱ−ＡＣＫは、下りリンクデータ（Transport block, Medium Access Control Protocol Data Unit : MAC PDU, Downlink-Shared Channel : DL-SCH, Physical Downlink Shared Channel : PDSCH）に対するＨＡＲＱ−ＡＣＫを示してもよい。すなわち、ＨＡＲＱ−ＡＣＫは、下りリンクデータに対するＡＣＫ（acknowledgement, positive-acknowledgment）またはＮＡＣＫ（negative-acknowledgement）を示してもよい。また、ＣＳＩは、チャネル品質インディケータ（ＣＱＩ）、プレコーディングマトリックスインディケータ（ＰＭＩ）、および／または、ランクインディケーション（ＲＩ）で構成されてもよい。ＨＡＲＱ−ＡＣＫは、ＨＡＲＱ−ＡＣＫ応答、または、ＡＣＫ／ＮＡＣＫ応答とも称されてもよい。
【００３４】
ＰＵＳＣＨは、上りリンクデータ（Uplink-Shared Channel : UL-SCH）を送信するために用いられる。ＰＵＳＣＨは、ランダムアクセスメッセージ３を送信するために用いられる。また、ＰＵＳＣＨは、ランダムアクセスメッセージ３を含まない上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００３５】
ここで、基地局装置３と端末装置１は、上位層（higher layer）において信号をやり取り（送受信）してもよい。例えば、基地局装置３と端末装置１は、無線リソース制御（Radio Resource Control : RRC）層において、ＲＲＣシグナリング（RRC message、RRC informationとも称される）を送受信してもよい。また、基地局装置３と端末装置１は、ＭＡＣ（Medium Access Control）層において、ＭＡＣコントロールエレメントをやり取り（送受信）してもよい。ここで、ＲＲＣシグナリング、および／または、ＭＡＣコントロールエレメントを、上位層の信号（higher layer signaling）とも称する。
【００３６】
ここで、本実施形態において、「上位層のパラメータ」、「上位層のメッセージ」、「上位層の信号」、「上位層の情報」、および、「上位層の情報要素」は、同一のものであってもよい。
【００３７】
また、ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００３８】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
【００３９】
本実施形態において、以下の２つのタイプの上りリンク参照信号が用いられる。
・ＤＭＲＳ（Demodulation Reference Signal）
・ＳＲＳ（Sounding Reference Signal）
【００４０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４２】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＳＣＨ（Physical Downlink Shared Channel）
・ＰＭＣＨ（Physical Multicast Channel）
・ＰＤＣＣＨ（Physical Downlink Control Channel）
・ＥＰＤＣＣＨ（Enhanced Physical Downlink Control Channel）
【００４３】
ＰＢＣＨは、端末装置１で共通に用いられるマスターインフォメーションブロック（Master Information Block: MIB, Broadcast Channel: BCH）を報知するために用いられる。
【００４４】
ＰＣＦＩＣＨは、ＰＤＣＣＨの送信に用いられる領域（ＯＦＤＭシンボル）を指示する情報を送信するために用いられる。
【００４５】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４６】
ＰＤＳＣＨは、下りリンクデータ（Downlink Shared Channel: DL-SCH）を送信するために用いられる。また、ＰＤＳＣＨは、ランダムアクセスレスポンスグラントを送信するために用いられてもよい。ここで、ランダムアクセスレスポンスグラントは、ランダムアクセスプロシージャにおいて、ＰＵＳＣＨのスケジューリングに使用される。また、ランダムアクセスレスポンスグラントは、上位層（例えば、ＭＡＣ層）によって物理層へ指示される。
【００４７】
また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００４８】
ＰＭＣＨは、マルチキャストデータ（Multicast Channel: MCH）を送信するために用いられる。
【００４９】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００５０】
ここで、ＰＤＣＣＨ、および／または、ＥＰＤＣＣＨで送信される下りリンク制御情報に対して、複数のＤＣＩフォーマットが定義されてもよい。すなわち、下りリンク制御情報に対するフィールドがＤＣＩフォーマットに定義され、情報ビットへマップされてもよい。
【００５１】
ここで、下りリンクに対するＤＣＩフォーマットを、下りリンクのＤＣＩ、下りリンクグラント（downlink grant）、および／または、下りリンクアサインメント（downlink assignment）とも称する。また、上りリンクに対するＤＣＩフォーマットを、上りリンクのＤＣＩ、上りリンクグラント（Uplink grant）、および／または、上りリンクアサインメント（Uplink assignment）とも称する。また、ＤＣＩグラントは下りリンクグラント（ＤＬグラント）と上りリンクグラント（ＵＬグラント）を含んでもよい。
【００５２】
ＰＤＣＣＨおよび／またはＥＰＤＣＣＨに含まれるＤＣＩはＰＤＳＣＨのための下りリンクグラントを含んでもよい。１つの下りリンクグラントは、１つのサービングセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。
【００５３】
ここで、下りリンクグラントは、１または複数の端末装置１のための下りリンク割り当てに関連する情報を備えてもよい。つまり、下りリンクグラントは、１または複数の端末装置１のための周波数割り当て情報（Resource allocation）、ＭＣＳ（Modulation and Coding）、送信アンテナポート数、スクランブルアイデンティティ（SCID: Scramble Identity）、レイヤ数、新データ指標（New Data Indicator）、ＲＶ（Redundancy Version）、トランスポートブロック数、プレコーダ情報、送信スキームに関する情報の少なくとも一つを含んでもよい。
【００５４】
また、ＰＤＣＣＨおよび／またはＥＰＤＣＣＨに含まれるＤＣＩはＰＵＳＣＨのための上りリンクグラントを含んでもよい。１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００５５】
ＰＤＣＣＨおよび／またはＥＰＤＣＣＨで送信される上りリンクグラントは、ＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００５６】
ＰＤＣＣＨおよび／またはＥＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５７】
以下、サブフレームのそれぞれにおいて送信される物理チャネルおよび物理信号について説明する。
【００５８】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信できる。尚、ＰＢＣＨは無線フレーム内のサブフレーム０のみで送信される。尚、同期信号は無線フレーム内のサブフレーム０と５のみに配置される。
【００５９】
ＰＤＣＣＨ領域において、複数のＰＤＣＣＨが周波数および時間多重される。ＥＰＤＣＣＨ領域において、複数のＥＰＤＣＣＨが周波数および／または時間多重される。ＰＤＳＣＨ領域において、複数のＰＤＳＣＨが周波数および空間多重される。例えば、ＰＤＣＣＨは、ＰＤＳＣＨおよびＥＰＤＣＣＨと時間多重される。例えば、ＥＰＤＣＣＨはＰＤＳＣＨと周波数多重される。
【００６０】
次に、本実施形態におけるＰＤＣＣＨおよびＥＰＤＣＣＨの構成について説明する。
【００６１】
端末装置１がＰＤＣＣＨのモニタをするリソースの候補をＰＤＣＣＨ候補（Candidate）と称する。即ち、ＰＤＣＣＨ候補とは、基地局装置３によって、ＰＤＣＣＨが、配置および／または送信される可能性のある候補を示していてもよい。モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００６２】
ここで、端末装置１が、モニタするＰＤＣＣＨ候補のセットは、サーチスペースとも称される。サーチスペースには、コモンサーチスペース（Common Search Space : CSS）が含まれてもよい。例えば、コモンサーチスペースは、複数の端末装置１に対して共通なスペースとして定義されてもよい。コモンサーチスペースは、仕様書などによって予め定義されたインデックスのＣＣＥ（Control Channel Element）から構成されてもよい。
【００６３】
また、サーチスペースには、ユーザー装置スペシフィックサーチスペース（UE-specific Search Space : USS）が含まれてもよい。例えば、ユーザー装置スペシフィックサーチスペースを構成するＣＣＥのインデックスは、少なくとも、端末装置１に対して割り当てられるＣ−ＲＮＴＩに基づいて与えられてもよい。端末装置１は、コモンサーチスペース、および／または、ユーザー装置スペシフィックサーチスペースにおいて、ＰＤＣＣＨをモニタし、自装置宛てのＰＤＣＣＨを検出してもよい。
【００６４】
ＰＤＣＣＨおよびＰＤＣＣＨ候補は、ＰＤＣＣＨ領域内の１つまたは複数の制御チャネルエレメント（ＣＣＥ）から構成される。ＰＤＣＣＨ領域内のＣＣＥには、ＣＣＥを識別するための番号が付与されている。ＣＣＥの番号付けは、予め決められた規則に基づいて行なわれる。１つのＣＣＥは、ＰＤＣＣＨ領域内で周波数領域と時間領域に分散した９つの異なるＲＥＧ（Resource Element Group）により構成される。１つのＲＥＧは、周波数領域の隣接する４つのリソースエリメント（ＲＥ）から構成される。ここで、ＲＥＧに構成されるＲＥはＣＲＳが用いられるＲＥ以外のである。単一のＰＤＣＣＨ候補が対応するＣＣＥの数をアグリゲーションレベル（aggregation level）と称する。
【００６５】
また、端末装置１がＥＰＤＣＣＨのモニタをするリソースの候補をＥＰＤＣＣＨ候補（Candidate）と称する。即ち、ＥＰＤＣＣＨ候補とは、基地局装置３によって、ＥＰＤＣＣＨが、配置および／または送信される可能性のある候補を示していてもよい。モニタとは、モニタされる全てのＤＣＩフォーマットに応じて、ＥＰＤＣＣＨ候補のセット内のＥＰＤＣＣＨのそれぞれに対して、端末装置１がデコードを試みるという意味が含まれてもよい。
【００６６】
また、基地局装置３は、１つ、または、２つのＥＰＤＣＣＨ−ＰＲＢ−ｓｅｔを端末装置１に設定してもよい。ＥＰＤＣＣＨ領域は、該１つ、または、２つのＥＰＤＣＣＨ−ＰＲＢ−ｓｅｔを含んでもよい。ＥＰＤＣＣＨ−ＰＲＢ−ｓｅｔは、端末装置１がＥＰＤＣＣＨのモニタをする物理リソースブロック（Physical Resource Block: PRB）を含む物理リソースブロックのセットである。基地局装置３は、ＥＰＤＣＣＨ−ＰＲＢ−ｓｅｔを構成する複数の物理リソースブロックを示す情報を、端末装置１に送信する。尚、周波数領域において、あるＥＰＤＣＣＨ−ＰＲＢ−ｓｅｔは、別のＥＰＤＣＣＨ−ＰＲＢ−ｓｅｔと重複してもよい。また、ＥＰＤＣＣＨ−ＰＲＢ−ｓｅｔのそれぞれに対するＥＰＤＣＣＨ候補の数は、ＥＰＤＣＣＨ−ＰＲＢ−ｓｅｔを構成する物理リソースブロックペアの数に基づいて決定されてもよい。
【００６７】
ここで、端末装置１が、モニタするＥＰＤＣＣＨ候補のセットは、サーチスペースとも称される。ＥＰＤＣＣＨのサーチスペースは、ユーザー装置スペシフィックサーチスペース（UE-specific Search Space : USS）と称する。例えば、ＵＳＳを構成するＥＣＣＥのインデックスは、少なくとも、端末装置１に対して割り当てられるＣ−ＲＮＴＩに基づいて与えられてもよい。端末装置１は、ＵＳＳにおいて、ＥＰＤＣＣＨをモニタし、自装置宛てのＥＰＤＣＣＨを検出してもよい。ここで、ＥＰＤＣＣＨ  ＵＳＳはＥＰＤＣＣＨ−ＰＲＢ−ｓｅｔごとに定義される。
【００６８】
また、ＥＰＤＣＣＨおよびＥＰＤＣＣＨ候補は、ＥＰＤＣＣＨ領域内の１つまたは複数のＥＣＣＥ（Enhanced CCE）から構成される。ＥＰＤＣＣＨ領域内のＥＣＣＥには、ＥＣＣＥを識別するための番号が付与されている。１つのＥＣＣＥは、４つのＥＲＥＧ（Enhanced REG）から構成される。１つのＥＲＥＧは、９つのＲＥから構成される。単一のＥＰＤＣＣＨ／ＥＰＤＣＣＨ候補が対応するＥＣＣＥの数をアグリゲーションレベル（aggregation level）と称する。
【００６９】
ＰＤＣＣＨおよび／またはＥＰＤＣＣＨでの送信には、基地局装置３が、端末装置１に割り当てたＲＮＴＩが利用されてもよい。具体的には、ＤＣＩフォーマット（下りリンク制御情報でもよい）にＣＲＣ（Cyclic Redundancy check : 巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００７０】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００７１】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００７２】
ここで、ＲＮＴＩには、Ｃ−ＲＮＴＩ（Cell-Radio Network Temporary Identifier）が含まれてもよい。例えば、Ｃ−ＲＮＴＩは、ＲＲＣ接続およびスケジューリングの識別に対して使用される、端末装置１に対するユニークな（一意的な）識別子であってもよい。また、Ｃ−ＲＮＴＩは、動的（dynamically）にスケジュールされるユニキャスト送信のために利用されてもよい。
【００７３】
また、ＲＮＴＩには、ＳＰＳ  Ｃ−ＲＮＴＩ（Semi-Persistent Scheduling C-RNTI）が含まれてもよい。例えば、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。ここで、半持続的にスケジュールされる送信とは、周期的（periodically）にスケジュールされる送信の意味が含まれてもよい。
【００７４】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置１は、ランダムアクセスプリアンブルを送信した場合において、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００７５】
また、ＲＮＴＩには、Ｔｅｍｐｏｒａｒｙ  Ｃ−ＲＮＴＩが含まれてもよい。例えば、Ｔｅｍｐｏｒａｒｙ  Ｃ−ＲＮＴＩは、コンテンションベースのランダムアクセスプロシージャの間において用いられる、端末装置１によって送信されたプリアンブルに対するユニークな（一意的な）識別子であってもよい。また、Ｔｅｍｐｏｒａｒｙ  Ｃ−ＲＮＴＩは、動的（dynamically）にスケジュールされる送信のために利用されてもよい。
【００７６】
また、ＲＮＴＩには、Ｐ−ＲＮＴＩ（Paging RNTI）が含まれてもよい。例えば、Ｐ−ＲＮＴＩは、ページングおよびシステム情報の変化の通知に使用される識別子であってもよい。例えば、Ｐ−ＲＮＴＩは、ページングおよびシステム情報メッセージの送信のために利用されてもよい。例えば、端末装置１は、Ｐ−ＲＮＴＩによってスクランブルされたＣＲＣを伴うＰＤＣＣＨの検出に基づいて、ＰＤＳＣＨでページングを受信してもよい。
【００７７】
また、ＲＮＴＩには、ＳＩ−ＲＮＴＩ（System Information RNTI）が含まれてもよい。例えば、ＳＩ−ＲＮＴＩは、システム情報のブロードキャストに使用される識別子であってもよい。例えば、ＳＩ−ＲＮＴＩは、システム情報メッセージの送信のために利用されてもよい。例えば、端末装置１は、ＳＩ−ＲＮＴＩによってスクランブルされたＣＲＣを伴うＰＤＣＣＨの検出に基づいて、ＰＤＳＣＨでシステム情報メッセージを受信してもよい。
【００７８】
ここで、Ｃ−ＲＮＴＩによってスクランブルされたＣＲＣを伴うＰＤＣＣＨまたはＥＰＤＣＣＨは、ＵＳＳまたはＣＳＳにおいて送信されてもよい。また、ＳＰＳ  Ｃ−ＲＮＴＩによってスクランブルされたＣＲＣを伴うＰＤＣＣＨまたはＥＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにおいて送信されてもよい。また、Ｐ−ＲＮＴＩによってスクランブルされたＣＲＣを伴うＰＤＣＣＨは、ＣＳＳのみにおいて送信されても良い。また、ＳＩ−ＲＮＴＩによってスクランブルされたＣＲＣを伴うＰＤＣＣＨは、ＣＳＳのみにおいて送信されてもよい。また、Ｔｅｍｐｏｒａｒｙ  Ｃ−ＲＮＴＩによってスクランブルされたＣＲＣを伴うＰＤＣＣＨは、ＣＳＳのみにおいて送信されてもよい。
【００７９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００８０】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００８１】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００８２】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
【００８３】
ＣＲＳは、全てのサブフレームで送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００８４】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨは、ＣＲＳまたはＵＲＳの送信に用いられるアンテナポートで送信される。
【００８５】
例えば、ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。ＤＣＩフォーマットのペイロードサイズ（ビット数）は、ＤＣＩフォーマット毎に定義される。また、ＤＣＩフォーマット１ＡとＤＣＩフォーマット２Ｄに含まれる情報のセットは異なる。
【００８６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００８７】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。
【００８８】
ＺＰ  ＣＳＩ−ＲＳのリソースは、基地局装置が設定する。基地局装置は、ＺＰ  ＣＳＩ−ＲＳを送信しない。基地局装置は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが送信されるリソースを、隣接するセルにおけるＺＰ  ＣＳＩ−ＲＳのリソースに設定することで、端末装置は隣接するセルからの干渉がない該あるセルにおけるＣＳＩ−ＲＳを用いてチャネル状態情報を測定することができる。
【００８９】
下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００９０】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００９１】
以下、キャリアアグリゲーションについて説明する。
【００９２】
ここで、端末装置１に対して、１つまたは複数のサービングセルが設定されてもよい。端末装置１が複数のサービングセルを介して通信する技術をセルアグリゲーション、または、キャリアアグリゲーションと称する。
【００９３】
また、設定される１つまたは複数のサービングセルには、１つのプライマリーセルと、１つまたは複数のセカンダリーセルとが含まれてもよい。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。また、プライマリーセルは、ＰＵＣＣＨでの送信に用いられるセルであってもよい。ここで、ＲＲＣコネクションが確立された時点、または、後に、セカンダリーセルが設定されてもよい。
【００９４】
また、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００９５】
端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００９６】
ここで、基地局装置３は、上位層の信号（例えば、ＲＲＣシグナリング）を用いて、１つまたは複数のサービングセルを設定してもよい。例えば、複数のサービングセルのセットをプライマリーセルと共に形成するために、１つまたは複数のセカンダリーセルが設定されてもよい。
【００９７】
また、基地局装置３は、上位層の信号（例えば、ＭＡＣコントロールエレメント）を用いて、１つまたは複数のサービングセルを、活性化（activate）または非活性化（deactivate）してもよい。例えば、基地局装置３は、ＲＲＣシグナリングを用いて設定した１つまたは複数のサービングセルのうちの、１つまたは複数のサービングセルを活性化または非活性化してもよい。ここで、端末装置１は、活性化されたサービングセルのみに対するＣＳＩ（例えば、アピリオディックＣＳＩ）を送信してもよい。
【００９８】
また、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、上りリンクグラントに対するサービングセル（上りリンクグラントによってスケジュールされるＰＵＳＣＨでの送信（上りリンクの送信）が行なわれるサービングセル）が識別されてもよい。ここで、この場合における、下りリンクアサインメント、または、上りリンクグラントには、キャリアインディケータフィールドは存在しない。
【００９９】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、あるセカンダリーセルにおいて受信した下りリンクアサインメントは、該あるセカンダリーセルにおける下りリンクの送信に対応してもよい。また、あるセカンダリーセルにおいて受信した上りリンクグラントは、該あるセカンダリーセルにおける上りリンクの送信に対応してもよい。
【０１００】
以下は、本実施形態に係るＰＤＳＣＨに対するＨＡＲＱ−ＡＣＫの送信タイミングについて説明する。本実施形態では、ＯＦＤＭシンボルおよび／またはＳＣ−ＦＤＭＡシンボルにノーマルＣＰが付加された場合（つまり、１スロットが７シンボルで構成される場合、１サブフレームが１４シンボルで構成される場合）を想定して説明するが、拡張ＣＰが付加された場合に対しても同様に適用されてもよい。
【０１０１】
ＰＤＳＣＨに対応するＨＡＲＱ−ＡＣＫの送信タイミングについては、ＦＤＤに対して、端末装置１がサブフレームｎ−ｋにおけるＰＤＳＣＨを検出した場合、端末装置１は、サブフレームｎにおいて、ＰＤＳＣＨに対応するＨＡＲＱ−ＡＣＫを送信する。即ち、ＰＤＳＣＨに対応するＨＡＲＱ−ＡＣＫの送信タイミングはＰＤＳＣＨが送信されたサブフレームよりｋ後のサブフレームである。
【０１０２】
ＦＤＤに対して、ｋは４であってもよい。４であるｋをノーマルタイミング（normal timing）と称してもよい。また、ｋの値は４より小さい値であってもよい。例えば、ｋの値は２であってもよい。また、例えば、ｋの値は３であってもよい。ｋ値は端末装置１の処理能力によって、決定されてもよい。４より小さい値であるｋは短縮タイミング（reduced timing）とも称してもよい。
【０１０３】
ここで、端末装置１の処理能力は端末装置１のケーパビリティ（capability）情報によって、示されてもよい。また、端末装置１はケーパビリティ情報を基地局装置３へ通知（送信）してもよい。
【０１０４】
以下、端末装置１のケーパビリティ情報について説明する。端末装置１のケーパビリティ情報は端末装置１の能力情報（短縮タイミング能力）として定義されてもよい。
【０１０５】
例えば、端末装置１のケーパビリティ情報は端末装置１がデータを処理する実際の時間を示してもよい。処理時間は、検出した信号の受信および復号に要する時間と、送信する信号の生成（変調や符号化）に要する時間に基づいて決定される。詳しく言うと、端末装置１のケーパビリティ情報はＰＤＳＣＨに対するＨＡＲＱ−ＡＣＫの実際の処理時間（例えば、何ｍｓ）を示してもよい。ＰＤＳＣＨに対するＨＡＲＱ−ＡＣＫの処理時間はＰＤＳＣＨをスケジューリングするＰＤＣＣＨまたはＥＰＤＣＣＨの受信及び検出（復号、ブラインドデコーディング）からＨＡＲＱ−ＡＣＫの生成（変調や符号化）までの処理に要する時間であってもよい。
【０１０６】
また、端末装置１のケーパビリティ情報は、端末装置１が１４より少ないＯＦＤＭシンボルおよび／またはＳＣ−ＦＤＭＡシンボルに構成されるｓＴＴＩをサポートする能力を示してもよい。
【０１０７】
また、端末装置１のケーパビリティ情報は端末装置１のカテゴリ情報を示してもよい。端末装置１のカテゴリ情報は端末装置１が処理時間を短縮する能力情報を含んでもよい。また、端末装置１のカテゴリ情報は端末装置１がサポートできるＨＡＲＱ−ＡＣＫの送信タイミング（ｋの値）を含んでもよい。
【０１０８】
基地局装置３は端末装置１から送信されたケーパビリティ情報（能力情報）に基づいて、端末装置１が利用できるＨＡＲＱ−ＡＣＫの送信タイミング（ｋの値）を決定してもよい。また、ＨＡＲＱ−ＡＣＫの送信タイミング（ｋの値）は上位層のパラメータとして設定されてもよい。基地局装置３は端末装置１が利用できるＨＡＲＱ−ＡＣＫの送信タイミング（ｋの値）を含むＲＲＣシグナリングを端末装置１に送信してもよい。
【０１０９】
また、ＨＡＲＱ−ＡＣＫの送信タイミング（ｋの値）は仕様書などによって定義され、基地局装置３と端末装置１との間において、既知の値であってもよい。
【０１１０】
以下、本実施形態において、ｋの値はサブフレームの数を基準にして、定義されてもよい。例えば、ｋの値は、２，３，４であってもよい。また、ｋの値は、シンボル（ＯＦＤＭシンボルおよび／またはＳＣ−ＦＤＭＡシンボル）の数で表現されてもよい。例えば、シンボル数で表現されるｋおよびｊの値は図３のサブフレームとシンボルの関係に基づいて、決定されてもよい。また、シンボル数で表現されるｋの値は所定の値であってもよい。また、ｋの値はＴＴＩの長さに基づいて、決定されてもよい。ＴＴＩはｓＴＴＩを含んでもよい。
【０１１１】
前述したように、ＨＡＲＱ−ＡＣＫはＡＣＫまたはＮＡＣＫを示す。より具体的には、端末装置１または基地局装置３は、信号を受信（復調復号）できたか否かに基づいて、その信号に対するＡＣＫまたはＮＡＣＫを決定する。ＡＣＫは、端末装置１または基地局装置３において、信号を受信できたことを示し、ＮＡＣＫは、端末装置１または基地局装置３において、信号を受信できなかったことを示す。ＮＡＣＫがフィードバックされた端末装置１または基地局装置３は、ＮＡＣＫに対応する信号の再送信を行なってもよい。例えば、端末装置１は、ＰＵＣＣＨリソースを用いて、基地局装置３から送信されたＰＤＳＣＨに対するＨＡＲＱ−ＡＣＫを送信する。基地局装置３は、端末装置１から送信された、ＰＤＳＣＨに対するＨＡＲＱ−ＡＣＫの内容に基づいて、ＰＤＳＣＨを再送信するか否かを決定する。
【０１１２】
ＨＡＲＱ−ＡＣＫの送信に用いられるＰＵＣＣＨリソースは、場合によって、規定される。例えば、ＨＡＲＱ−ＡＣＫが送信されるサブフレームとＣＳＩが送信されるサブフレームとが同じなサブフレームになった場合、端末装置１は、ＰＵＣＣＨ  フォーマット  ２ａ／２ｂを用いて、対応するＰＵＣＣＨリソースでＨＡＲＱ−ＡＣＫとＣＳＩを同時に送信してもよい。また、例えば、端末装置１に３つ以上のサービングセルが設定された時、端末装置１は、ＰＵＣＣＨ  フォーマット  ３を用いて、対応するＰＵＣＣＨリソースでＨＡＲＱ−ＡＣＫを送信してもよい。また、例えば、端末装置１に２つ以下のサービングセルが設定された時、端末装置１は、ＰＵＣＣＨ  フォーマット  １ａ／１ｂを用いて、対応するＰＵＣＣＨリソースでＨＡＲＱ−ＡＣＫを送信してもよい。
【０１１３】
本実施形態において、ＨＡＲＱ−ＡＣＫの送信に用いられるＰＵＣＣＨリソースは、ＰＵＣＣＨ  フォーマット  １ａ／１ｂ（PUCCH format 1a/1b）に対応するＰＵＣＣＨリソースであってもよい。即ち、以下、本実施形態におけるＰＵＣＣＨリソースは、ＰＵＣＣＨ  フォーマット  １ａ／１ｂが用いられた場合のＰＵＣＣＨリソースに対応する。
【０１１４】
次に、ＨＡＲＱ−ＡＣＫの送信に用いられるＰＵＣＣＨリソースについて説明する。図５は、本実施形態のＰＵＣＣＨが配置される物理リソースブロックを示す図である。図５において、横軸は時間軸であり、縦軸は周波数軸である。図５において、nPRBは、周波数領域における物理リソースブロックの番号であり、NULPRBは、上りリンク帯域幅に含まれる物理リソースブロックの数であり、ｍはＰＵＣＣＨが配置される物理リソースブロックを識別するための番号である。
【０１１５】
単一のＰＵＣＣＨは、２つの物理リソースブロックに配置される。つまり、単一のＰＵＣＣＨは、第１スロットの１つの物理リソースブロックと、第２スロットの１つの物理リソースブロックに配置される。また、第１スロットの１つの物理リソースブロックは、上りリンク帯域の中心周波数に対して第２スロットの１つの物理リソースブロックと対称である。
【０１１６】
尚、当該２つの物理リソースブロックにおいて、複数のＰＵＣＣＨが符号多重される。即ち、同じｍの２つの物理リソースブロックにおいて、複数のＰＵＣＣＨが符号多重される。ＰＵＣＣＨの符号多重には、直交系列とサイクリックシフトが用いられる。つまり、ＰＵＣＣＨリソースは、番号ｍと直交系列とサイクリックシフトとの組み合わせによって特定される。より具体的には、ＨＡＲＱ−ＡＣＫの情報は、サイクリックシフトされた擬似ＣＡＺＡＣ（Constant Amplitude Zero-Auto Correlation）系列を用いてＳＣ−ＦＤＭＡサンプル領域に拡散され、さらに符号長が４の直交系列（Orthogonal Sequences）を用いてスロット内の４ＳＣ−ＦＤＭＡシンボルに拡散される。また、２つの符号により拡散されたシンボルは、番号ｍの２つの物理リソースブロックにマッピングされる。なお、番号ｍ、サイクリックシフト量、および、直交系列は、ＰＵＣＣＨリソースのインデックスに基づいて、算出（決定）される。
【０１１７】
以下、ＰＵＣＣＨリソースに対応するＰＵＣＣＨリソースのインデックスを説明する。
【０１１８】
例えば、ＰＤＣＣＨ領域でＰＤＳＣＨをスケジューリングする下りリンクグラントが検出された場合、端末装置１は、以下の数式（１）に基づいて、ＰＵＣＣＨリソースのインデックスを算出する。数式（１）において、ｎＣＣＥは下りリンクグラントを含むＰＤＣＣＨを構成するＣＣＥの内、ＣＣＥ番号が最も小さいＣＣＥのＣＣＥ番号である。Ｎ（１）ＰＵＣＣＨはセル固有のパラメータ（ＲＲＣ層／上位層のパラメータ）である。より具体的には、下りリンクグラントを含むＰＤＣＣＨを構成するＣＣＥの内、最小（最初）のＣＣＥ番号であるｎＣＣＥにセル固有のパラメータ（ＲＲＣ層／上位層のパラメータ）であるＮ（１）ＰＵＣＣＨを加算して得たＰＵＣＣＨリソースのインデックスｎ（１、ｐ0）ＰＵＣＣＨに対応するＰＵＣＣＨリソースが、送信したＰＤＳＣＨに対応するＨＡＲＱ−ＡＣＫの送信に用いられるＰＵＣＣＨリソースである。ここで、ｐ0はアンテナポートｐ0を意味する。ｎ（１、ｐ0）ＰＵＣＣＨはアンテナポートｐ０に対するＰＵＣＣＨリソースのインデックスである。
【数１】
2018030494.tif 000003
【０１１９】
また、例えば、下りリンクグラントに対応するＰＤＳＣＨが２つのコードワードを含むことによりＨＡＲＱ−ＡＣＫの送信が２つある場合や、一つの応答情報を２つのＰＵＣＣＨリソースを用いてダイバーシチ送信する場合のように、一つのＰＤＣＣＨに対応して２つのＰＵＣＣＨリソースが必要である場合があり得る。このとき、２つ目のＰＵＣＣＨリソースのインデックスは、以下の数式（２）に基づいて、算出される。即ち、下りリンクグラントを含むＰＤＣＣＨを構成するＣＣＥのうち、ＣＣＥ番号が最も小さいＣＣＥのＣＣＥ番号を応じたＰＵＣＣＨリソースに加えて、そのＰＵＣＣＨリソースより１つインデックスが大きいＰＵＣＣＨリソースが用いられる。より具体的には、下りリンクグラントを含むＰＤＣＣＨを構成するＣＣＥのうち、最小（最初）のＣＣＥ番号ｎＣＣＥに１とセル固有のパラメータ（ＲＲＣ層／上位層のパラメータ）であるＮ（１）ＰＵＣＣＨとを加算した得たＰＵＣＣＨリソースのインデックスｎ（１、ｐ１）ＰＵＣＣＨに対応するＰＵＣＣＨリソースが、送信したＰＤＳＣＨに対応するＨＡＲＱ−ＡＣＫの送信に用いられる２つ目のＰＵＣＣＨリソースである。ここで、ｐ１はアンテナポートｐ１を意味する。ｎ（１、ｐ１）ＰＵＣＣＨはアンテナポートｐ１に対するＰＵＣＣＨリソースのインデックスである。即ち、アンテナポートｐ1に対するＰＵＣＣＨリソースのインデックスｎ（１、ｐ1）ＰＵＣＣＨは、アンテナポートｐ0に対するＰＵＣＣＨリソースのインデックスＰＵＣＣＨリソースのインデックスｎ（１、ｐ0）ＰＵＣＣＨより１つ大きいインデックスである。
【数２】
2018030494.tif 000004
【０１２０】
即ち、本実施形態では、複数のアンテナポートを用いてＰＵＣＣＨを送信する場合には、アンテナポートのそれぞれに対して異なるＰＵＣＣＨリソースを割り当て、そして、アンテナポートのそれぞれで同じＨＡＲＱ−ＡＣＫの情報を送信する。
【０１２１】
以下、ＥＰＤＣＣＨ−ＰＲＢ−ｓｅｔでＰＤＳＣＨをスケジューリングする下りリンクグラントを含むＥＰＤＣＣＨが検出された場合における、当該ＰＤＳＣＨに対応するＨＡＲＱ−ＡＣＫの送信に用いられるＰＵＣＣＨリソースについて説明する。
【０１２２】
ＥＰＤＣＣＨでは、ＥＰＤＣＣＨ−ＰＲＢ−ｓｅｔごとにディストリビューテッドトランスミッション（distributed transmission）またはローカライズドトランスミッション（localized transmission）が設定されてもよい。ディストリビューテッドトランスミッションでは、ＥＣＣＥごとを構成するＥＲＥＧが、ＥＰＤＣＣＨ−ＰＲＢ−ｓｅｔを構成する複数の物理リソースブロックペアに分散してマッピングされる。ローカライズドトランスミッションでは、ＥＣＣＥごとを構成するＥＲＥＧが、ＥＰＤＣＣＨ−ＰＲＢ−ｓｅｔを構成する複数の物理リソースブロックペアの内の１つの物理リソースブロックペアの中にマッピングされてもよい。ローカライズドトランスミッションでは、ＥＣＣＥごとを構成するＥＲＥＧが、ＥＰＤＣＣＨ−ＰＲＢ−ｓｅｔを構成する複数の物理リソースブロックペアの内の連続する複数の物理リソースブロックペアの中にマッピングされてもよい。
【０１２３】
例えば、ＥＰＤＣＣＨ−ＰＲＢ−ｓｅｔでＰＤＳＣＨをスケジューリングする下りリンクグラントを含むＥＰＤＣＣＨが検出され、且つ、ディストリビューテッドトランスミッションが設定された場合、端末装置１は、以下の数式（３）に基づいて、ＰＵＣＣＨリソースのインデックスを算出する。
【数３】
2018030494.tif 000005
【０１２４】
数式（３）において、ｎＥＣＣＥ、ｑはＥＰＤＣＣＨ−ＰＲＢ−ｓｅｔ  ｑに対して、下りリンクグラントを含むＥＰＤＣＣＨを構成するＥＣＣＥの内、最小（最初）のＥＣＣＥ番号である。また、ΔAROはＰＤＳＣＨのスケジューリングに用いられるＤＣＩフォーマットに含まれる情報に基づいて決定されるパラメータ／オフセット値である。また、Ｎ（ｅ１）ＰＵＣＣＨ、ｑはＥＰＤＣＣＨ−ＰＲＢ−ｓｅｔ  ｑに対して設定される上位層のパラメータ（pucch-ResourceStartOffset-r11）／オフセット値である。
【０１２５】
また、例えば、ＥＰＤＣＣＨ−ＰＲＢ−ｓｅｔでＰＤＳＣＨをスケジューリングする下りリンクグラントを含むＥＰＤＣＣＨが検出され、且つ、ローカライズドトランスミッションが設定された場合、端末装置１は、以下の数式（４）に基づいて、ＰＵＣＣＨリソースのインデックスを算出する。
【数４】
2018030494.tif 000006
【０１２６】
数式（４）において、ＮＥＣＣＥ，ｑＲＢは、ＥＰＤＣＣＨ−ＰＲＢ−ｓｅｔ  ｑに対して、１つリソースブロックペア当たりに含まれるＥＣＣＥの数である。ｎ’は、最小（最初）のＥＣＣＥ番号やＣ−ＲＮＴＩなどに基づいて、決定される。
【０１２７】
また、２つアンテナポートを用いて、ＰＵＣＣＨの送信を実行する場合、アンテナポートｐ１のＰＵＣＣＨリソースは、アンテナポートｐ０のＰＵＣＣＨリソースより１つインデックスが大きいＰＵＣＣＨリソースであってもよい。
【０１２８】
図６は、本実施形態におけるＨＡＲＱ−ＡＣＫの送信に用いられるＰＵＣＣＨリソースが決定される図である。即ち、端末装置１および基地局装置３は、所定の条件６０１に基づいて、ＨＡＲＱ−ＡＣＫの送信に用いられるＰＵＣＣＨリソースを決定してもよい。以下、基本的には、端末装置１の動作を記載するが、基地局装置３が端末装置１の動作に対応して、同様の動作を実行することは無論である。
【０１２９】
図６の示すように、端末装置１は所定の条件６０１に基づいて、方法１、方法２または方法３を選択（決定、判断）し、ＨＡＲＱ−ＡＣＫの送信に用いられるＰＵＣＣＨリソースを決定する。
【０１３０】
また、端末装置１が、方法２または方法３の何れかを実行するかを基地局装置３から予め設定されてもよい。
【０１３１】
方法１とは、端末装置１が、各自宛てのＰＤＣＣＨを構成するＣＣＥの内、ＣＣＥ番号が最も小さいＣＣＥのＣＣＥ番号に基づいて、ＨＡＲＱ−ＡＣＫの送信に用いられるＰＵＣＣＨリソースを決定する方法である。また、方法１とは、端末装置１が、各自宛てのＥＰＤＣＣＨを構成するＥＣＣＥの内、ＥＣＣＥ番号が最も小さいＥＣＣＥのＥＣＣＥ番号に基づいて、ＨＡＲＱ−ＡＣＫの送信に用いられるＰＵＣＣＨリソースを決定する方法である。
【０１３２】
具体的には、例えば、ＰＤＣＣＨ領域でＰＤＳＣＨをスケジューリングするＤＣＩフォーマットが検出された場合、数式（１）および／または数式（２）に示すように、端末装置１は、最小（最初）のＣＣＥ番号とセル固有のパラメータ（ＲＲＣ層／上位層のパラメータ）とに基づいて、ＰＵＣＣＨリソースのインデックスを算出する。端末装置１は、算出したＰＵＣＣＨリソースのインデックスによって、ＨＡＲＱ−ＡＣＫの送信に用いられるＰＵＣＣＨリソースを決定してもよい。
【０１３３】
また、例えば、ＥＰＤＣＣＨ−ＰＲＢ−ｓｅｔでＰＤＳＣＨをスケジューリングする下りリンクグラントを含むＥＰＤＣＣＨが検出された場合、端末装置１は、ディストリビューテッドトランスミッションおよびローカライズドトランスミッションの何れが設定されたことによって、数式（３）または数式（４）に基づいて、ＰＵＣＣＨリソースのインデックスを算出する。算出したＰＵＣＣＨリソースのインデックスに基づいて、ＰＵＣＣＨリソースが決定されてもよい。
【０１３４】
ここで、ＦＤＤに対して、方法１によって決定されるＰＵＣＣＨリソースは、ＰＤＳＣＨがデコードされる下りリンクサブフレームより４後の上りリンクサブフレームにあってもよい。
【０１３５】
方法２は、基地局装置３が、ＤＣＩフォーマットにシフトフィールドを割り当て、端末装置１がＤＣＩフォーマットに割り当てられたシフトフィールドの情報に基づいて、ＨＡＲＱ−ＡＣＫの送信に用いられるＰＵＣＣＨリソースを決定する方法である。即ち、方法２において、端末装置１はＤＣＩフォーマットがシフトフィールドを含むことを想定しながら、ＰＤＣＣＨ領域またはＥＰＤＣＣＨ−ＰＲＢ−ｓｅｔにおいて、ＤＣＩフォーマットを検出する。
【０１３６】
これにより、方法２は、上りリンクサブフレームにある全体のＰＵＣＣＨリソースを拡張しないまま、シフトフィールドを導入することによって、ＰＵＣＣＨリソースのインデックスをシフトさせ、端末装置１間のＰＵＣＣＨリソースの重複を回避することができる。即ち、シフトフィールドはＰＵＣＣＨリソースのインデックスをシフトさせるために用いられる。
【０１３７】
また、シフトフィールドのビット数は仕様書の記載、または、予め基地局装置３からの上位層のパラメータの情報の一部、または、全部に少なくとも基づき与えられてもよい。例えば、シフトフィールドのビット数は２ビットであってもよい。また、シフトフィールドのビット数は３ビットであってもよい。図８は、本実施形態における△ｓｈｉｆｔ値にマッピングされるシフトフィールドの一例である。図８Ａは、シフトフィールドのビット数が２ビットに設定された場合の一例である。図８Ｂは、シフトフィールドのビット数が３ビットに設定された場合の一例である。ここで、ａ、ｂ、ｃ、ｄ、ｅ、ｆ、ｇ、ｈ、ｉ、ｊが正の整数に設定されてもよい。
【０１３８】
より具体的には、方法２において、基地局装置３は、端末装置１に割り当てられるＰＵＣＣＨリソースが他の端末装置１に割り当てられるＰＵＣＣＨリソースと衝突（重複）するか否かを判断し、シフトフィールドに示されるシフト値を調整する。そのうえで、端末装置１は、検出されたＤＣＩフォーマットに含まれるシフトフィールドを図８と参照し、対応する△ｓｈｉｆｔ値を選択し、ＰＵＣＣＨリソースのインデックスをシフトさせてもよい。例えば、端末装置１のＰＵＣＣＨリソースがほかの端末装置１のＰＵＣＣＨリソースと重複しない場合、基地局装置３は、シフトフィールドを００または０００にマッピングし、端末装置１に通知する。また、例えば、端末装置１のＰＵＣＣＨリソースがほかの端末装置１のＰＵＣＣＨリソースと重複してしまう場合、基地局装置３は、ほかの端末装置１のＰＵＣＣＨリソースと重複しないように、図８Ａまたは図８Ｂの中から１つの△ｓｈｉｆｔ値を選択し、端末装置１に通知してもよい。
【０１３９】
また、端末装置１にとって、ＰＤＣＣＨ領域で送信されるＤＣＩフォーマットとＥＰＤＣＣＨ−ＰＲＢ−ｓｅｔで送信されるＤＣＩフォーマットのそれぞれに含まれるシフトフィールドのビット数が同じに設定されてもいいし、異なって設定されてもよい。例えば、ＤＣＩフォーマットがＰＤＣＣＨで送信されるとき、ＤＣＩフォーマットに含まれるシフトフィールドのビット数は２ビットであってもよい。また、ＤＣＩフォーマットがＥＰＤＣＣＨで送信される時、ＤＣＩフォーマットに含まれるシフトフィールドのビット数は３ビットであってもよい。
【０１４０】
図７は、本実施形態における端末装置１間のＰＵＣＣＨリソースが重複した一例を示す図である。図７Ａにおいて、端末装置１Ａは、下りリンクサブフレームｎ−４でＰＤＳＣＨをスケジューリングするＰＤＣＣＨを検出して、上りリンクサブフレームｎでＰＤＳＣＨに対応するＨＡＲＱ−ＡＣＫを送信する。一方、短縮タイミング能力を持つ端末装置１Ｂは、下りリンクサブフレームｎ−３でＰＤＳＣＨをスケジューリングするＰＤＣＣＨを検出し、上りリンクサブフレームｎでＰＤＳＣＨに対応するＨＡＲＱ−ＡＣＫを送信する。即ち、端末装置１Ａと端末装置１Ｂは同じ上りリンクサブフレームｎでＨＡＲＱ−ＡＣＫを送信する。
【０１４１】
さらに、図７Ｂの示すように、端末装置１Ａに割り当てられるＰＤＣＣＨを構成する最小のＣＣＥ番号と、端末装置１Ｂに割り当てられるＰＤＣＣＨを構成する最小のＣＣＥ番号は同一になった場合、端末装置１ＡのＰＵＣＣＨリソースと端末装置１ＢのＰＵＣＣＨリソースが重複してしまう。したがって、基地局装置３は、端末装置１Ｂに割り当てられるＰＵＣＣＨリソースが端末装置１Ａに割り当てられるＰＵＣＣＨリソースと衝突したことを判断し、シフトフィールドに示されるシフト値を調整し、端末装置１ＡのＰＵＣＣＨリソースと異なるＰＵＣＣＨリソースのインデックスを指定する。この場合、基地局装置３は、シフトフィールドを用いて、他の端末装置１に割り当てられるＰＵＣＣＨリソースと衝突（重複）しないように、図７Ｂに示すように、端末装置１ＢのＰＵＣＣＨリソースのインデックスをシフトさせてもよい。
【０１４２】
前述したように、ＤＣＩフォーマットはＰＤＣＣＨまたはＥＰＤＣＣＨで送信されてもよい。次に、ＤＣＩフォーマットがＰＤＣＣＨで送信される場合とＤＣＩフォーマットがＥＰＤＣＣＨで送信される場合のそれぞれに対して、方法２を具体的に説明する。
【０１４３】
例えば、ＤＣＩフォーマットがＰＤＣＣＨで送信された場合、端末装置１は、以下の数式（５）に基づいて、ＰＵＣＣＨリソースのインデックスを算出する。方法１の数式（１）と比べてみると、数式（５）には△ｓｈｉｆｔが含まれる。ここで、△ｓｈｉｆｔは、端末装置１に個別に設定されるＰＵＣＣＨリソースのインデックスのシフト値を示す。即ち、△ｓｈｉｆｔは、少なくとも、ＤＣＩフォーマットに含まれるシフトフィールドによって与えられる。ここで、シフトフィールドは新たなフィールドとして、ＤＣＩフォーマットに割り当てられてもよい。
【数５】
2018030494.tif 000007
【０１４４】
また、例えば、ＤＣＩフォーマットがＥＰＤＣＣＨで送信され、且つ、ディストリビューテッドトランスミッションが設定された場合、端末装置１は、以下の数式（６）に基づいて、ＰＵＣＣＨリソースのインデックスを算出する。方法１の数式（３）と比べてみると、数式（６）において、△ＡＲＯが△ｓｈｉｆｔに入れ替えられる。ここで、△ｓｈｉｆｔは、端末装置１に個別に設定されるＰＵＣＣＨリソースのインデックスのシフト値を示す。即ち、△ｓｈｉｆｔは、少なくとも、ＤＣＩフォーマットに含まれるシフトフィールドによって与えられる。
【数６】
2018030494.tif 000008
【０１４５】
また、例えば、ＤＣＩフォーマットがＥＰＤＣＣＨで送信され、且つ、ローカライズドトランスミッションが設定された場合、端末装置１は、数式（７）に基づいて、ＰＵＣＣＨリソースのインデックスを算出する。方法１の数式（４）と比べてみると、数式（７）において、△ＡＲＯが△ｓｈｉｆｔに入れ替えられる。△ＡＲＯの値は、ＤＣＩフォーマットに含まれるＨＡＲＱ−ＡＣＫリソースオフセットフィールド（HARQ-ACK resource offset field）によってあたえられる。ＨＡＲＱ−ＡＣＫリソースオフセットフィールドは、ＥＰＤＣＣＨで送信されるＤＣＩフォーマットに含まれる。一方、ＨＡＲＱ−ＡＣＫリソースオフセットフィールドは、ＰＤＣＣＨで送信されるＤＣＩフォーマットに含まれない。ここで、△ｓｈｉｆｔは、端末装置１に個別に設定されるＰＵＣＣＨリソースのインデックスのシフト値を示す。即ち、△ｓｈｉｆｔは、少なくとも、ＤＣＩフォーマットに含まれるシフトフィールドによって与えられる。
【数７】
2018030494.tif 000009
【０１４６】
前述したように、数式（６）と（７）において、△ｓｈｉｆｔの値を示すビット数は２ビットであってもよい。また、△ｓｈｉｆｔの値を示すビット数は３ビットであってもよい。例えば、シフトフィールドのビット数が２ビットに設定された場合、端末装置１は、△ＡＲＯ値を示すＨＡＲＱ−ＡＣＫリソースオフセットフィールド（HARQ-ACK resource offset field）を△ｓｈｉｆｔ値を示すシフトフィールドと見なしてもよい。この場合、端末装置１は、シフトフィールドに図８Ａを参照し、△ｓｈｉｆｔ値を決定する。
【０１４７】
また、例えば、シフトフィールドのビット数が３ビットに設定された場合、端末装置１は、ＥＰＤＣＣＨ領域で送信されるＤＣＩフォーマットに△ＡＲＯ値を示す２ビットのＨＡＲＱ−ＡＣＫリソースオフセットフィールドが含まれず、且つ、△ｓｈｉｆｔ値を示す３ビットのシフトフィールドが含まれることと判定してもよい。この場合、端末装置１は、シフトフィールドに図８Ｂを参照し、△ｓｈｉｆｔ値を決定する。
【０１４８】
ＦＤＤに対して、方法２によって決定されるＰＵＣＣＨリソースは、ＰＤＳＣＨがデコードされる下りリンクサブフレームよりｋ後の上りリンクサブフレームにあってもよい。ここで、ｋの値は４より小さい値であってもよい。ここで、ｋの値は４であってもよい。
【０１４９】
方法３は、基地局装置３が、ＤＣＩフォーマットにシフトフィールドを割り当て、且つ、新たなＰＵＣＣＨリソースの開始位置情報を設定し、端末装置１が、（ｉ）ＤＣＩフォーマットに割り当てられたシフトフィールドと、（ｉｉ）新たなＰＵＣＣＨリソースの開始位置情報に基づいて、ＨＡＲＱ−ＡＣＫの送信に用いられるＰＵＣＣＨリソースを決定する方法である。
【０１５０】
ここで、シフトフィールドは、方法２におけるシフトフィールドと同様に設定されてもよい。即ち、ＰＤＣＣＨ領域で送信されるＤＣＩフォーマットとＥＰＤＣＣＨ領域で送信されるＤＣＩフォーマットのそれぞれに含まれるシフトフィールドのビット数が同じに設定されてもいいし、異なって設定されてもよい。
【０１５１】
また、新たなＰＵＣＣＨリソースの開始位置情報は仕様書の記載、または、予め基地局装置３からの上位層のパラメータの一部、または、全部に少なくとも基づき与えられもよい。方法１または方法２と比べて、方法３には、新たなＰＵＣＣＨリソースの開始位置が設定される。新たなＰＵＣＣＨリソースの開始位置情報を設定することによって、上りリンクサブフレームの全体のＰＵＣＣＨリソースが拡張される。方法３によって決定されるＰＵＣＣＨリソースは、拡張されるＰＵＣＣＨリソースであって、方法１によって決定されるＰＵＣＣＨリソースと重複することを回避できる。また、シフトフィールドの利用によって、拡張されるＰＵＣＣＨリソースに割り当てられる端末装置１間のＰＵＣＣＨリソースの衝突も回避することができる。
【０１５２】
次に、ＤＣＩフォーマットがＰＤＣＣＨで送信される場合とＤＣＩフォーマットがＥＰＤＣＣＨで送信される場合のそれぞれに対して、方法３を具体的に説明する。
【０１５３】
例えば、ＤＣＩフォーマットがＰＤＣＣＨで送信された場合、端末装置１は、以下の数式（８）に基づいて、ＰＵＣＣＨリソースのインデックスを算出する。具体的には、端末装置１は、ＰＤＣＣＨを構成する最小（最初）のＣＣＥ番号であるｎＣＣＥに新たなＰＵＣＣＨリソースの開始位置であるＮ（ｓ１）ＰＵＣＣＨと△ｓｈｉｆｔ値を加算して、ＰＵＣＣＨリソースのインデックスであるｎ（１、ｐ0）ＰＵＣＣＨを算出する。
【数８】
2018030494.tif 000010
【０１５４】
前述したように、端末装置１は、下りリンクサブフレームｎ−ｋでＰＤＳＣＨをスケジューリングするＤＣＩフォーマットを含むＰＤＣＣＨを検出して、上りリンクサブフレームｎでＰＤＳＣＨに対応するＨＡＲＱ−ＡＣＫを送信する。ここで、ｋの値は４，３，２の何れであってもよい。また、３または２の値であるｋに対して、ＰＵＣＣＨリソースの開始位置であるＮ（ｓ１）ＰＵＣＣＨの値が同じに設定されてもよいし。また、例えば、方法３において、異なるＨＡＲＱ−ＡＣＫのタイミング（異なるｋの値）に対して、ＰＵＣＣＨリソースのインデックスの開始位置を示す値が異なって設定されてもよい。ｋが３である場合、ＰＵＣＣＨリソースの開始位置としてＮ（ｓ１）ＰＵＣＣＨが設定されてもよい。また、ｋが２である場合、ＰＵＣＣＨリソースの開始位置としてＮ（ｓ２）ＰＵＣＣＨが設定されてもよい。
【０１５５】
また、例えば、ＤＣＩフォーマットがＥＰＤＣＣＨで送信され、且つ、ディストリビューテッドトランスミッションが設定された場合、端末装置１は、以下の数式（９）に基づいて、ＰＵＣＣＨリソースのインデックスを算出する。
【数９】
2018030494.tif 000011
【０１５６】
また、例えば、ＤＣＩフォーマットがＥＰＤＣＣＨで送信され、且つ、ローカライズドトランスミッションが設定された場合、端末装置１は、数式（１０）に基づいて、ＰＵＣＣＨリソースのインデックスを算出する。
【数１０】
2018030494.tif 000012
【０１５７】
ここで、数式（９）と（１０）において、ＰＵＣＣＨリソースの開始位置であるＮ（ｓｅ１）ＰＵＣＣＨ，ｑは、数式（８）のＮ（ｓ１）ＰＵＣＣＨと同じ値に設定されてもよいし、異なる値に設定されてもよい。また、数式（９）と（１０）において、方法２の△ｓｈｉｆｔの値の設定と同様に、△ｓｈｉｆｔの値を示すシフトフィールドのビット数は２ビットであってもよいし、３ビットであってもよい。
【０１５８】
ＦＤＤに対して、方法３によって決定されるＰＵＣＣＨリソースは、ＰＤＳＣＨがデコードされた下りリンクサブフレームよりｋ後の上りリンクサブフレームにあってもよい。ここで、ｋの値は４より小さい値である。
【０１５９】
前述した所定の条件６０１には、以下の第１の条件から第７の条件の少なくとも１つが含まれてもよい。即ち、端末装置１は、以下の第１の条件から第７の条件の一部、または、全部に少なくとも基づいて、ＨＡＲＱ−ＡＣＫの送信に用いられるＰＵＣＣＨリソースを決定する方法を選択（判断）してもよい。
【０１６０】
・第１の条件：短縮タイミング能力を持つかどうか
・第２の条件：ＨＡＲＱ−ＡＣＫの送信タイミング（ｋの値）
・第３の条件：ＴＡ（Timing Advance）の値がマキシマムＴＡの閾値を超えているかどうか
・第４の条件：ＤＣＩフォーマットが配置される物理下りリンク制御チャネルがＰＤＣＣＨおよびＥＰＤＣＣＨの何れであるか
・第５の条件：ＤＣＩフォーマットを含む物理下りリンク制御チャネルがマッピングされるサーチスペースがＣＳＳおよびＵＳＳの何れであるか
・第６の条件：ＤＣＩフォーマットに付加されるＣＲＣパリティビットが何れのＲＮＴＩで、スクランブルされているか
・第７の条件：短縮タイミングの有効を示す上位層のパラメータが設定されているかどうか
【０１６１】
第１の条件において、短縮タイミング（Reduced timing）能力とは、端末装置１がサブフレームｎ―ｋにおけるＰＤＳＣＨをデコードし、４より小さい値であるｋを用いて、サブフレームｎにおけるＨＡＲＱ−ＡＣＫの送信を実行できることである。即ち、短縮タイミング能力を持つ端末装置１は、下りリンクサブフレームｎ―ｋにおけるＰＤＳＣＨをデコードし、方法２または方法３を用いて、上りリンクサブフレームｎでＨＡＲＱ−ＡＣＫの送信に用いられるＰＵＣＣＨリソースを決定する。ここで、ｋの値は４より小さいである。また、短縮タイミング能力を持たない端末装置１は、方法１を用いて、ＨＡＲＱ−ＡＣＫの送信に用いられるＰＵＣＣＨリソースを決定する。即ち、短縮タイミング能力を持たない端末装置１は、サブフレームｎ−４におけるＰＤＳＣＨをデコードし、方法１を用いて、サブフレームｎでＰＵＣＣＨリソースを決定し、ＨＡＲＱ−ＡＣＫを送信する。
【０１６２】
第２の条件において、端末装置１は、ＨＡＲＱ−ＡＣＫの送信タイミング（ｋの値）に基づいて、方法１、方法２または方法３を選択し、ＨＡＲＱ−ＡＣＫの送信に用いられるＰＵＣＣＨリソースを決定する。例えば、ｋの値が４である場合、端末装置１は、ＰＤＳＣＨがデコードされた下りリンクサブフレームより４後の上りリンクサブフレームで、方法１を用いて、ＰＵＣＣＨリソースを決定しＨＡＲＱ−ＡＣＫを送信する。また、ｋの値が４より小さい場合、端末装置１は、ＰＤＳＣＨがデコードされた下りリンクサブフレームよりｋ後の上りリンクサブフレームで、方法２または方法３を用いて、ＰＵＣＣＨリソースを決定しＨＡＲＱ−ＡＣＫを送信する。
【０１６３】
ここで、ｋの値は、要素（ｉ）第１の上位層のパラメータ、（ｉｉ）ＰＤＳＣＨが送信されるサービングセル、（ｉｉｉ）ＤＣＩフォーマット、（ｉｖ）タイミングアドバンス（ＴＡ）の値、（ｖ）ＰＤＳＣＨに対するトランスポートブロックサイズ、の一部、または、全部に少なくとも基づいて決定されてもよい。
【０１６４】
要素（ｉ）について、基地局装置３は、端末装置１にＨＡＲＱ−ＡＣＫの送信タイミング（ｋの値）を示す第１の上位層のパラメータを送信してもよい。例えば、第１の上位層のパラメータによって通知されたｋの値が４である場合、端末装置１は方法１を用いて、ＰＵＣＣＨリソースを決定する。また、第１の上位層のパラメータによって通知されたｋの値が４より少ない場合、端末装置１は方法２または方法３を用いて、ＰＵＣＣＨリソースを決定してもよい。
【０１６５】
要素（ｉｉ）について、基地局装置３は、短縮タイミングを利用できるサービングセルとノーマルタイミングを利用するサービングセルのリストを端末装置１に通知してもよい。例えば、あるサービングセルにノーマルタイミングの送信だけが設定される。この場合、端末装置１が当該サービングセルでＰＤＳＣＨをデコードした場合、方法１を用いて、ＰＵＣＣＨリソースを決定する。また、例えば、プライマリーセルが短縮タイミングでの送信を利用する場合、端末装置１が当該プライマリーセルでＰＤＳＣＨをデコードした場合、方法２または方法３を用いて、ＰＵＣＣＨリソースを決定する。
【０１６６】
要素（ｉｉｉ）において、ＤＣＩフォーマットに含まれる情報は、明示的／暗示的にｋの値を通知したり、変更したりする。例えば、ＤＣＩフォーマットにマッピングされるあるフィールドは、明示的にｋの値を指示（調整）してもよい。また、ＤＣＩフォーマットに含まれる情報（例えば、ＰＤＳＣＨのトランスポートブロックサイズ）は、暗示的にｋの値を指示してもよい。そして、端末装置１は、ＤＣＩフォーマットから指示されるｋの値に基づいて、方法１、方法２または方法３を判断して、ＰＵＣＣＨリソースを決定する。
【０１６７】
また、第３の条件において、端末装置１は、ＴＡ（Timing Advance, Timing Alignment）の値がマキシマムＴＡの閾値を超えているかどうかに基づいて、ＰＵＣＣＨリソースを決定する方法を判断する。例えば、ＴＡの値がマキシマムＴＡの閾値を超えている場合、方法１が用いられてもよい。また、ＴＡがマキシマムＴＡの閾値を超えていない場合、方法２または方法３が用いられてもよい。
【０１６８】
ここで、ＴＡが端末装置１と基地局装置３の間の距離を示すこととみなされてもよい。ＴＡ値は端末装置１と基地局装置３の間の距離に応じて、可変値になる。また、ＴＡ値は、上りリンクサブフレームの送信タイミングと、対応する下りリンクサブフレームの先頭の時間差を示す。ＴＡ値は、基地局装置３が送信するＴＡコマンドを用いて、端末装置１に設定されてもよい。端末装置１は、設定されたＴＡ値に基づいて、上りリンクサブフレームのサブフレーム境界よりもＴＡ値分前の時間で送信する。
【０１６９】
マキシマムＴＡの閾値は、仕様書などによって定義され、基地局装置３と端末装置１との間において、既知の値であってもよい。また、基地局装置３はマキシマムＴＡの閾値を含むＲＲＣシグナリングを端末装置１に送信してもよい。
【０１７０】
第４の条件について、例えば、ＰＤＣＣＨ領域で送信されるＤＣＩフォーマットとＥＰＤＣＣＨ領域で送信されるＤＣＩフォーマットのそれぞれに含まれるシフトフィールドのビット数が異なって設定された場合、端末装置１は、ＤＣＩフォーマットが配置される物理下りリンク制御チャネルがＰＤＣＣＨおよびＥＰＤＣＣＨの何れであるかに基づいて、ＤＣＩフォーマットに含まれるビットの数を判断する。
【０１７１】
第５の条件において、端末装置１はＤＣＩフォーマットを含む物理下りリンク制御チャネルがマッピングされるサーチスペースがＣＳＳおよびＵＳＳの何れであるかに基づいて、ＰＵＣＣＨリソースを決定する方法を判断する。例えば、ＰＤＣＣＨが検出されたサーチスペースがＣＳＳである場合、方法１が用いられ、ＰＵＣＣＨリソースが決定される。また、例えば、ＰＤＣＣＨが検出されたサーチスペースがＵＳＳである場合、方法２、または、方法３が用いられ、ＰＵＣＣＨリソースが決定される。また、例えば、ＥＰＤＣＣＨが検出されたサーチスペースがＵＳＳである場合、方法２、または、方法３が用いられ、ＰＵＣＣＨリソースが決定される。
【０１７２】
ＵＳＳはＰＤＣＣＨ  ＵＳＳを含んでもよい。また、ＵＳＳはＥＰＤＣＣＨ  ＵＳＳを含んでもよい。
【０１７３】
また、第６の条件において、端末装置１はＤＣＩフォーマットに付加されるＣＲＣパリティビットが何れのＲＮＴＩによってスクランブルされているかに基づいて、ＰＵＣＣＨリソースを決定する方法を判断する。例えば、端末装置１は、ＤＣＩフォーマットに付加されるＣＲＣパリティビットが以下のＲＮＴＩによってスクランブルされている場合、方法１を用いて、ＰＵＣＣＨリソースを決定してもよい。
【０１７４】
（ａ）Ｔｅｍｐｏｒａｒｙ  Ｃ−ＲＮＴＩ
（ｂ）Ｐ−ＲＮＴＩ
（ｃ）ＳＩ−ＲＮＴＩ
【０１７５】
また、例えば、端末装置１は、ＤＣＩフォーマットに付加されるＣＲＣパリティビットが以下のＲＮＴＩによってスクランブルされている場合、方法２または方法３を用いて、ＰＵＣＣＨリソースを決定してもよい。
【０１７６】
（ｄ）Ｃ−ＲＮＴＩ
（ｄ）ＳＰＳ−ＲＮＴＩ
【０１７７】
また、方法１を実行させるために、新しいＲＮＴＩタイプ（例えば、Ｘ−ＲＮＴＩ）が定義されてもよい。端末装置１は、ＤＣＩフォーマットに付加されるＣＲＣパリティビットがＸ−ＲＮＴＩによってスクランブルされている場合、方法１を用いて、ＰＵＣＣＨリソースを決定してもよい。
【０１７８】
また、方法２または方法３を実行させるために、新しいＲＮＴＩタイプ（例えば、Ｙ−ＲＮＴＩ）が定義されてもよい。端末装置１は、ＤＣＩフォーマットに付加されるＣＲＣパリティビットがＹ−ＲＮＴＩによってスクランブルされている場合、方法２または方法３を用いて、ＰＵＣＣＨリソースを決定してもよい。
【０１７９】
Ｘ−ＲＮＴＩとＹ−ＲＮＴＩが上位層の信号によって、端末装置１に設定される場合には、第６の条件に基づいて、方法１が用いられるか方法２または方法３が用いられるかが切り替えられてもよい。
【０１８０】
また、端末装置１は上記の条件の組み合わせに基づいて、方法１、方法２または方法３を判断してもよい。
【０１８１】
例えば、端末装置１は第１の条件と第２の条件との組み合わせに基づいて、方法１、方法２または方法３を判断してもよい。短縮タイミング能力を持つ端末装置１は、基地局装置３から通知されたｋの値が４である場合、ＰＤＳＣＨがデコードされた下りリンクサブフレームより４後の上りリンクサブフレームで、方法１を用いて、ＰＵＣＣＨリソースを決定しＨＡＲＱ−ＡＣＫを送信する。また、短縮タイミング能力を持つ端末装置１は、基地局装置３から通知されたｋの値が４より小さい場合、端末装置１は、ＰＤＳＣＨがデコードされた下りリンクサブフレームよりｋ後の上りリンクサブフレームで、方法２または方法３を用いて、ＰＵＣＣＨリソースを決定しＨＡＲＱ−ＡＣＫを送信する。
【０１８２】
また、例えば、端末装置１は、第５の条件と第６の条件との組み合わせに基づいて、方法１、方法２または方法３を判断してもよい。例えば、ＣＳＳにおいてＰＤＣＣＨが検出され、且つ、当該ＰＤＣＣＨで送信されるＤＣＩフォーマットに付加されるＣＲＣパリティビットがＣ−ＲＮＴＩによってスクランブルされているならば、端末装置１は方法１を用いて、ＰＵＣＣＨリソースを決定する。また、例えば、ＵＳＳにおいてＰＤＣＣＨまたはＥＰＤＣＣＨが検出され、且つ、当該ＰＤＣＣＨまたはＥＰＤＣＣＨで送信されるＤＣＩフォーマットに付加されるＣＲＣパリティビットがＣ−ＲＮＴＩによってスクランブルされているならば、端末装置１は方法２または方法３を用いて、ＰＵＣＣＨリソースを決定してもよい。
【０１８３】
第７の条件において、「短縮タイミングの有効を示す上位層のパラメータが設定されていないこと」は、「短縮タイミングの無効を示す上位層のパラメータが設定されていること」を含んでもよい。短縮タイミングの有効を示す上位層のパラメータが設定されていない場合、ｋの値は４であり、且つ、方法１を用いてＨＡＲＱ−ＡＣＫ送信のためのＰＵＣＣＨリソースは決定されてもよい。短縮タイミングの有効を示す上位層のパラメータが設定されている場合、上記の第１から第６の条件の一部、または、全部に少なくとも基づいてｋの値が与えられてもよい。短縮タイミングの有効を示す上位層のパラメータが設定されている場合、上記の第１から第６の条件の一部、または、全部に少なくとも基づいて、方法１から方法３の中から１つの方法が選択され、且つ、選択された方法に基づいてＨＡＲＱ−ＡＣＫ送信のためのＰＵＣＣＨリソースを決定されてもよい。
【０１８４】
より具体的には、短縮タイミングの有効を示す上位層のパラメータが設定されていない場合、端末装置１は、上記の第１から第６の条件の一部、または、全部に基づかず、方法１を用いてＨＡＲＱ−ＡＣＫ送信のためのＰＵＣＣＨリソースは決定されてもよい。例えば、短縮タイミングの有効を示す上位層のパラメータが設定されていない場合、端末装置１は短縮タイミング能力を持っていても、方法１を用いて、ＰＤＳＣＨがデコードされた下りリンクサブフレームより４後の上りリンクサブフレームで、ＰＵＣＣＨリソースを決定しＨＡＲＱ−ＡＣＫを送信する。また、例えば、短縮タイミングの有効を示す上位層のパラメータが設定されず、且つ、第２の条件から通知されたｋの値が４より小さい場合、端末装置１は、方法１を用いて、ＰＤＳＣＨがデコードされた下りリンクサブフレームより４後の上りリンクサブフレームで、ＰＵＣＣＨリソースを決定しＨＡＲＱ−ＡＣＫを送信する。
【０１８５】
また、短縮タイミングの有効を示す上位層のパラメータが設定されている場合、端末装置１は、上記の第１から第６の条件の一部、または、全部に少なくとも基づいて、方法１、方法２または方法３を選択し、且つ、選択された方法に基づいてＨＡＲＱ−ＡＣＫ送信のためのＰＵＣＣＨリソースを決定してもよい。一例として、例えば、短縮タイミングの有効を示す上位層のパラメータが設定され、且つ、第２の条件から通知されたｋの値が４である場合、端末装置１は、ＰＤＳＣＨがデコードされた下りリンクサブフレームより４後の上りリンクサブフレームで、方法１を用いて、ＰＵＣＣＨリソースを決定しＨＡＲＱ−ＡＣＫを送信する。また、短縮タイミングの有効を示す上位層のパラメータが設定され、且つ、第２の条件から通知されたｋの値が４より小さい場合、端末装置１は、ＰＤＳＣＨがデコードされた下りリンクサブフレームよりｋ後の上りリンクサブフレームで、方法２または方法３を用いて、ＰＵＣＣＨリソースを決定しＨＡＲＱ−ＡＣＫを送信する。
【０１８６】
上述したように、ＰＵＣＣＨリソースを決定する方法は、上記の第１の条件から第７の条件の一部、または、全部に少なくとも基づいて、判断される。また、言い換えると、ＤＣＩフォーマットに含まれるシフトフィールドのビット数は、上記の第１の条件から第７の条件の一部、または、全部に少なくとも基づき与えられてもよい。即ち、方法１を用いて、ＰＵＣＣＨリソースを決定する時、ＤＣＩフォーマットに含まれるシフトフィールドのビット数は０ビットと見なしてもよい。また、方法２または方法３を用いて、ＰＵＣＣＨリソースを決定する時、ＤＣＩフォーマットに含まれるシフトフィールドのビット数は非０ビットと見なしてもよい。例えば、非０ビット数は２ビットであってもよいし、３ビットであってもよい。
【０１８７】
具体的には、上記の条件に基づいて、シフトフィールドのビット数には０ビットが与えられる場合、端末装置１は、ＤＣＩフォーマットに含まれるシフトフィールドにかかわらず、方法１のようにＰＵＣＣＨリソースを決定してもよい。また、シフトフィールドのビット数には非０ビットが与えられる場合、端末装置１は、ＤＣＩフォーマットに含まれるシフトフィールドに基づいて、方法２または方法３のようにＰＵＣＣＨリソースを決定してもよい。
【０１８８】
以下、本実施形態における装置の構成について説明する。
【０１８９】
図９は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、ＰＵＣＣＨリソース決定部１０１３と設定部１０１５を含んで構成される。また、受信部１０５は、復号化部１０５１、復調部１０５３、多重分離部１０５５、無線受信部１０５７、チャネル測定部１０５９と検出部１０６１とを含んで構成される。また、送信部１０７は、符号化部１０７１、変調部１０７３、多重部１０７５、無線送信部１０７７と上りリンク参照信号生成部１０７９とを含んで構成される。
【０１９０】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、無線リソース制御部１０１１は、上りリンクの各チャネルに配置される情報を生成し、送信部１０７に出力する。
【０１９１】
上位層処理部１０１が備えるＰＵＣＣＨリソース決定部１０１３は、上りリンク制御情報を送信するために用いられるＰＵＣＣＨリソースを決定する。
【０１９２】
上位層処理部１０１が備える設定部１０１５は、自装置の各種設定情報の管理をする。例えば、設定部１０１５は、基地局装置３から受信したシグナリングに応じて、各種設定を行なう。
【０１９３】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１９４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１９５】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１９６】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１９７】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。
【０１９８】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１９９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０２００】
検出部１０６１は、ＰＤＣＣＨおよび／またはＥＰＤＣＣＨで下りリンク制御情報の検出を行い、そして、検出した下りリンク制御情報を上位層処理部１０１に出力する。検出部１０６１は、ＰＤＣＣＨおよび／またはＥＰＤＣＣＨに対して、ＱＰＳＫ変調方式の復調および復号を行なう。検出部１０６１は、ＰＤＣＣＨおよび／またはＥＰＤＣＣＨのブラインドデコーディングを試み、ブラインドデコーディングに成功した場合、下りリンク制御情報を上位層処理部１０１に出力する。
【０２０１】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０２０２】
符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２０３】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。変調部１０７３は、サイクリックシフト、および／または、直交系列を用いてＰＵＣＣＨを拡散する。
【０２０４】
上りリンク参照信号生成部１０７９は、基地局装置３を識別するための物理レイヤセルアイデンティティ（physical layer cell identity: PCI）などを基に、参照信号の系列を生成する。
【０２０５】
多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２０６】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０２０７】
図１０は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３とＰＵＣＣＨリソース決定部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２０８】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２０９】
上位層処理部３０１が備える無線リソース制御部３０１１は、下りリンクのＰＤＳＣＨに配置される下りリンクデータ（トランスポートブロック）、システムインフォメーションブロック、ＲＲＣシグナル、ＭＡＣ  ＣＥ（Control Element）などを生成し、又は上位ノードから取得し、送信部３０７に出力する。また、無線リソース制御部３０１１は、端末装置１各々の各種設定情報の管理をする。
【０２１０】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０２１１】
上位層処理部３０１が備えるＰＵＣＣＨリソース決定部３０１５は、上りリンク制御情報の受信のために用いられるＰＵＣＣＨリソースを決定する。
【０２１２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２１３】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０２１４】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０２１５】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２１６】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２１７】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０５９は、多重分離部３０５５から入力された上りリンク参照信号から伝搬路の推定値、チャネルの品質などを測定し、多重分離部３０５５および上位層処理部３０１に出力する。
【０２１８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して端末装置１に信号を送信する。
【０２１９】
符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２２０】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２２１】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０２２２】
端末装置１と基地局装置３を構成する種々の部は、回路であってもよい。例えば、送信部１０７は送信回路１０７であってもよい。
【０２２３】
以下、本実施形態における、端末装置１および基地局装置３の種々の態様について説明する。
【０２２４】
（１）本実施形態の第１態様は、端末装置１であって、ＤＣＩフォーマットを含むＰＤＣＣＨまたはＥＰＤＣＣＨを受信し、前記ＰＤＣＣＨまたは前記ＥＰＤＣＣＨの検出に基づいてＰＤＳＣＨをデコードする受信部１０５と、前記ＰＤＳＣＨの送信に対応するＨＡＲＱ−ＡＣＫ送信を実行する送信部１０７と、を備え、前記ＤＣＩフォーマットに含まれるシフトフィールドに基づいて、前記ＨＡＲＱ−ＡＣＫ送信に用いられるＰＵＣＣＨリソースが決定され、前記シフトフィールドのビット数は、以下の第１の条件から第７の条件の一部、または、全部に少なくとも基づいて、与えられ、
・第１の条件：短縮タイミング能力を持つかどうか
・第２の条件：HARQ-ACKの送信タイミング
・第３の条件：ＴＡ（Timing Advance）の値がマキシマムＴＡの閾値を超えているかどうか
・第４の条件：ＤＣＩフォーマットが配置される物理下りリンク制御チャネルがＰＤＣＣＨおよびＥＰＤＣＣＨの何れであるか
・第５の条件：ＤＣＩフォーマットを含む物理下りリンク制御チャネルがマッピングされるサーチスペースがＣＳＳおよびＵＳＳの何れであるか
・第６の条件：ＤＣＩフォーマットに付加されるＣＲＣパリティビットが何れのＲＮＴＩで、スクランブルされているか
・第７の条件：短縮タイミングの有効を示す上位層のパラメータが設定されているかどうか
前記短縮タイミング能力は、サブフレームｎ−ｋにおけるＰＤＳＣＨをデコードし、４より小さい値であるｋを用いて、サブフレームｎでＨＡＲＱ−ＡＣＫ送信を実行することであり、前記ＨＡＲＱ−ＡＣＫの送信タイミングは、第１の上位層のパラメータ、前記DCIフォーマット、前記ＰＤＳＣＨに対するトランスポートブロックサイズ、ＴＡの値、前記ＰＤＳＣＨが送信されるサービングセル、の一部、または、全部に少なくとも基づいて決定され、前記第１の上位層のパラメータは、前記ＨＡＲＱ−ＡＣＫの送信タイミングの値を示す。
【０２２５】
（２）本実施形態の第１態様において、前記シフトフィールドのビット数は０ビットを含み、前記シフトフィールドのビット数が０ビットである場合、前記ＤＣＩフォーマットに含まれるシフトフィールドにかかわらず、前記ＨＡＲＱ−ＡＣＫ送信に用いられるＰＵＣＣＨリソースが決定される。
【０２２６】
（３）本実施形態の第２態様は、端末装置１と通信する基地局装置３であって、ＤＣＩフォーマットを含むＰＤＣＣＨまたはＥＰＤＣＣＨ、および、前記ＤＣＩフォーマットに基づくＰＤＳＣＨを送信する送信部３０７と、前記ＰＤＳＣＨの送信に対応するＨＡＲＱ−ＡＣＫを含むＰＵＣＣＨを受信する受信部３０５と、を備え、前記ＤＣＩフォーマットに含まれるシフトフィールドに基づいて、前記ＨＡＲＱ−ＡＣＫ送信に用いられるＰＵＣＣＨリソースが決定され、前記シフトフィールドのビット数は、以下の第１の条件から第７の条件の一部、または、全部に少なくとも基づいて、与えられ、
・第１の条件：前記端末装置が短縮タイミング能力をサポートしているかどうか
・第２の条件：前記ＨＡＲＱ−ＡＣＫの送信タイミング
・第３の条件：前記端末装置が測定したＴＡ（Timing Advance）の値がマキシマムＴＡの閾値を超えているかどうか
・第４の条件：前記ＤＣＩフォーマットが配置される物理下りリンク制御チャネルがＰＤＣＣＨおよびＥＰＤＣＣＨの何れであるか
・第５の条件：前記ＤＣＩフォーマットを含む物理下りリンク制御チャネルがマッピングされるサーチスペースがＣＳＳおよびＵＳＳの何れであるか
・第６の条件：前記ＤＣＩフォーマットに付加されるＣＲＣパリティビットが何れのＲＮＴＩで、スクランブルされているか
・第７の条件：短縮タイミングの有効を示す上位層のパラメータが設定されているかどうか
前記短縮タイミング能力は、前記端末装置１が、サブフレームｎ−ｋにおけるＰＤＳＣＨをデコードし、４より小さい値であるｋを用いて、サブフレームｎでＨＡＲＱ−ＡＣＫ送信を実行することであり、前記ＨＡＲＱ−ＡＣＫの送信タイミングは、第１の上位層のパラメータ、前記DCIフォーマット、前記ＰＤＳＣＨに対するトランスポートブロックサイズ、前記ＴＡの値、前記ＰＤＳＣＨが送信されるサービングセル、の一部、または、全部に少なくとも基づいて決定され、前記第１の上位層のパラメータは、前記ＨＡＲＱ−ＡＣＫの送信タイミングの値を示す。
【０２２７】
（４）本実施形態の第２態様において、前記シフトフィールドのビット数は０ビットを含み、前記シフトフィールドのビット数が０ビットである場合、前記ＤＣＩフォーマットに含まれるシフトフィールドにかかわらず、前記ＨＡＲＱ−ＡＣＫ送信に用いられるＰＵＣＣＨリソースが決定される。
【０２２８】
（Ａ１）本発明の一態様は端末装置であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードする受信部と、サブフレームｎ−ｋにおける前記ＰＤＳＣＨの検出に基づいて、サブフレームｎでＨＡＲＱ−ＡＣＫ送信を実行する送信部と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２２９】
（Ａ２）本発明の一態様は、端末装置と通信する基地局装置であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信する送信部と、サブフレームｎ−ｋにおける前記ＰＤＳＣＨの送信に基づいて、サブフレームｎでＨＡＲＱ−ＡＣＫ受信を実行する受信部と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２３０】
（Ａ３）本発明の一態様は、端末装置に用いられる通信方法であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードし、サブフレームｎ−ｋにおける前記ＰＤＳＣＨの検出に基づいて、サブフレームｎでＨＡＲＱ−ＡＣＫ送信を実行し、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２３１】
（Ａ４）本発明の一態様は、端末装置と通信する基地局装置に用いられる通信方法であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信し、サブフレームｎ−ｋにおける前記ＰＤＳＣＨの送信に基づいて、サブフレームｎでＨＡＲＱ−ＡＣＫ受信を実行し、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２３２】
（Ａ５）本発明の一態様は、端末装置に実装される集積回路であって、ＤＣＩフォーマットを含むＰＤＣＣＨまたはＥＰＤＣＣＨ、および、第１のＲＲＣパラメータを受信し、前記ＰＤＣＣＨまたは前記ＥＰＤＣＣＨの検出に基づいてＰＤＳＣＨをデコードする受信回路と、サブフレームｎ−ｋにおける前記ＰＤＳＣＨの検出に基づいて、サブフレームｎでＨＡＲＱ−ＡＣＫ送信を実行する送信回路と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２３３】
（Ａ６）本発明の一態様は、端末装置と通信する基地局装置に実装される集積回路であって、第１のＲＲＣパラメータ、ＤＣＩフォーマットを含むＰＤＣＣＨまたはＥＰＤＣＣＨ、および、前記ＤＣＩフォーマットに基づくＰＤＳＣＨを送信する送信回路と、サブフレームｎ−ｋにおける前記ＰＤＳＣＨの送信に基づいて、サブフレームｎでＨＡＲＱ−ＡＣＫ受信を実行する受信回路と、を備え、前記ＰＵＣＣＨリソースが少なくとも前記第１のＲＲＣパラメータにより与えられるか否かは、以下の第１の条件から第２の条件の一部、または、全部に少なくとも基づいて、決定される。
・第１の条件：前記ｋの値
・第２の条件：前記ＤＣＩフォーマットを含む物理下りリンク制御チャネルがマッピングされるサーチスペースがＣＳＳおよびＵＳＳの何れであるか。
【０２３４】
（Ａ７）本発明の一態様は、前記ｋが４である場合、ＰＵＣＣＨリソースは第１のＲＲＣパラメータを用いずに与えられ、前記ｋが３である場合、ＰＵＣＣＨリソースは少なくとも第１のＲＲＣパラメータにより与えられる。
【０２３５】
（Ａ８）本発明の一態様は、前記ＰＤＣＣＨまたは前記ＥＰＤＣＣＨがマッピングされるサーチスペースがＣＳＳである場合、ＰＵＣＣＨリソースは第１のＲＲＣパラメータを用いずに与えられ、前記ＰＤＣＣＨまたは前記ＥＰＤＣＣＨがマッピングされるサーチスペースがＵＳＳである場合、ＰＵＣＣＨリソースは少なくとも第１のＲＲＣパラメータにより与えられる。
【０２３６】
これにより、端末装置１は上りリンクデータを効率的に送信することができる。
【０２３７】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２３８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２３９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２４１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２４２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２４３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２４４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２４５】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２４６】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２４７】
１（１Ａ、１Ｂ、１Ｃ）  端末装置
３  基地局装置
１０１  上位層処理部
１０３  制御部
１０５  受信部
１０７  送信部
１０９  送受信アンテナ
１０１１  無線リソース制御部
１０１３  ＰＵＣＣＨリソース決定部
１０１５  設定部
１０５１  復号化部
１０５３  復調部
１０５５  多重分離部
１０５７  無線受信部
１０５９  チャネル測定部
１０６１  検出部
１０７１  符号化部
１０７３  変調部
１０７５  多重部
１０７７  無線送信部
１０７９  上りリンク参照信号生成部
３０１  上位層処理部
３０３  制御部
３０５  受信部
３０７  送信部
３０９  送受信アンテナ
３０１１  無線リソース制御部
３０１３  スケジューリング部
３０１５  ＰＵＣＣＨリソース決定部
３０５１  復号化部
３０５３  復調部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
【図１】
2018030494.tif 000013
【図２】
2018030494.tif 000014
【図３】
2018030494.tif 000015
【図４】
2018030494.tif 000016
【図５】
2018030494.tif 000017
【図６】
2018030494.tif 000018
【図７Ａ】
2018030494.tif 000019
【図７Ｂ】
2018030494.tif 000020
【図８Ａ】
2018030494.tif 000021
【図８Ｂ】
2018030494.tif 000022
【図９】
2018030494.tif 000023
【図１０】
2018030494.tif 000024
【国際調査報告】
2018030494.tif 000025
2018030494.tif 000026
2018030494.tif 000027